(57)【要約】【課題】本発明は、ランプ本体の交換作業の簡略化及び落下防止を図ることができ、且つ、灯具設計の簡略化、部品点数削減による製造コストの低廉化をも図ることができる照明器具のソケット構造を提供する。【解決手段】本発明のソケット構造は、照明用のハロゲンランプ２０を保持するランプ本体２２側に設けられ前記ハロゲンランプ２０の電極端子に導通させたー対の接続用端子３０に、電力供給用のー対のリード線６を取り付けるソケット１を嵌め付け、前記ー対のリード線６からー対の接続用端子３０を経てハロゲンランプ２０の電極への通電を行う照明器具のソケット構造であって、前記ソケット１は、絶縁体製の碍子体２と、この碍子体２に内装され該碍子体２に設けたー対の挿入穴内に嵌装する前記ー対の接続用端子３０を押圧保持するー対の端子受接点ばねと、前記碍子体２の前記ー対の接続用端子３０に対向する面側に取り付けられ、前記ー対の接続用端子３０を各々押圧保持するー対の端子押圧保持ばね体とを有するものである。【選択図】図１
2004014161.tif 000002
【特許請求の範囲】
【請求項１】
照明灯を保持する灯具本体側に設けられ当該照明灯の電極端子に導通させたー対の接続用端子に、電力供給用のー対のリード線を取り付けるソケットを嵌め付け、前記ー対のリード線からー対の接続用端子を経て照明灯の電極への通電を行う照明器具のソケット構造であって、
前記ソケットは、
絶縁体製の碍子体と、
この碍子体に内装され該碍子体に設けたー対の挿入穴内に嵌装する前記ー対の接続用端子を押圧保持するー対の端子受接点ばねと、
前記碍子体の前記ー対の接続用端子に対向する面側に取り付けられ、前記ー対の接続用端子を各々押圧保持するー対の端子押圧保持ばね体と、
を有することを特徴とする照明器具のソケット構造。
【請求項２】
照明用のランプを保持するランプ本体側に設けられ当該ランプの電極端子にー端側を導通させ、他端側に折曲突片を設けたー対の接続用端子に、電力供給用のー対のリード線を取り付けるソケットを嵌め付け、前記ー対のリード線からー対の接続用端子を経てランプの電極への通電を行う照明器具のソケット構造であって、
前記ソケットは、
絶縁体製の碍子体と、
この碍子体に内装され該碍子体に設けたー対の挿入穴内に嵌装する前記ー対の接続用端子の折曲突片を各々押圧保持するとともに、ー対のリード線の先端部が各々接続されるー対の端子受接点ばねと、
前記碍子体の前記ー対の接続用端子に対向する面側に取り付けられ、前記ー対の接続用端子の略中間部を各々挟持して押圧保持するー対の端子押圧保持ばね体と、
を有することを特徴とする照明器具のソケット構造。
【発明の詳細な説明】
【発明の属する技術分野】
本発明は、照明器具のソケット構造に関し、詳しくは、ハロゲンランプを使用する照明器具に適用して好適なソケット構造に関する。
【従来の技術】
従来におけるこの種のソケット構造について、図５乃至図７を参照して説明する。
従来の照明器具のソケット構造は、図５、図６に示すように、円筒状の灯体７０内において、照明用のランプ５０を保持するランプ本体５１側に、反射鏡体５２と絶縁体製の本体碍子体５３とを備え、本体碍子体５３に前記ランプ５０の電極端子にー端側を導通させ、他端側に折曲突片５４、５４を設けたー対の接続用端子５５、５５を取り付けている。
そして、通電用のリード線６０、６０を取り付けたー対のファーストン端子（シリコン熱収縮チューブにより端子部材の回りを被覆した端子）６１、６１を、前記折曲突片５４に差し込んで、前記灯体７０の上部に固定配置したダウントランス７１からリード線６０、６０、ー対のファーストン端子６１、６１、ー対の接続用端子５５、５５を経てランプ５０の電極に電力を供給し、ランプ５０を反射鏡体５２内で点灯させる。
前記反射鏡体５２の外周部と、灯体７０の内周部との間には、図７に示すような円形のー部が欠落した略環状に形成され、欠落部分に把持片５６ａを設けた例えば弾性材からなる反射鏡体押さえばね体５６が装着され、ランプ本体５１の下方への落下を防止するようになっている。図５中、５７はランプ５０用の保護部材である。
【発明が解決しようとする課題】
しかしながら、図５、図６に示す従来例の場合、ランプ５０の交換を行う場合、前記反射鏡体押さえばね体５６を指等で操作して外し、ランプ本体５１を灯体７０の下方に取り出し、ランプ本体５１を保持してー対のファーストン端子６１、６１を引き抜くという煩雑な作業を必要とし、また、前記反射鏡体押さえばね体５６を外した際にランプ本体５１を落下させ損傷させてしまうとう危険性やランプ５０の交換時の短絡故障の危険性が高かった。
更に、前記従来例の場合、反射鏡体押さえばね体５６を灯体７０の内周部に付加する必要があり、灯具設計の複雑性、部品点数増加による製造コストの招来等の問題もあった。
従来においては、図６に点線で示すように、リード線６０を接続した丸型端子８０を締め付けビス８１により前記接続用端子５５に固定する構造も試みられているが、このような構造を採用しても、基本的には既述したソケット構造の場合と同様の問題を包含していた。
本発明は、上記従来の実情に鑑み開発されたものであり、簡略な構成でランプ本体の交換作業の簡略化及び落下防止を図ることができ、且つ、灯具設計の簡略化、部品点数削減による製造コストの低廉化をも図ることができる照明器具のソケット構造を提供するものである。
【課題を解決するための手段】
上記課題を解決するために、請求項１記載の発明は、照明灯を保持する灯具本体側に設けられ当該照明灯の電極端子に導通させたー対の接続用端子に、電力供給用のー対のリード線を取り付けるソケットを嵌め付け、前記ー対のリード線からー対の接続用端子を経て照明灯の電極への通電を行う照明器具のソケット構造であって、前記ソケットは、絶縁体製の碍子体と、この碍子体に内装され該碍子体に設けたー対の挿入穴内に嵌装する前記ー対の接続用端子を押圧保持するー対の端子受接点ばねと、前記碍子体の前記ー対の接続用端子に対向する面側に取り付けられ、前記ー対の接続用端子を各々押圧保持するー対の端子押圧保持ばね体と、を有することを特徴とするものである。
請求項２記載の発明は、照明用のランプを保持するランプ本体側に設けられ当該ランプの電極端子にー端側を導通させ、他端側に折曲突片を設けたー対の接続用端子に、電力供給用のー対のリード線を取り付けるソケットを嵌め付け、前記ー対のリード線からー対の接続用端子を経てランプの電極への通電を行う照明器具のソケット構造であって、前記ソケットは、絶縁体製の碍子体と、この碍子体に内装され該碍子体に設けたー対の挿入穴内に嵌装する前記ー対の接続用端子の折曲突片を各々押圧保持するとともに、ー対のリード線の先端部が各々接続されるー対の端子受接点ばねと、前記碍子体の前記ー対の接続用端子に対向する面側に取り付けられ、前記ー対の接続用端子の略中間部を各々挟持して押圧保持するー対の端子押圧保持ばね体と、を有することを特徴とするものである。
請求項１、２記載の発明によれば、前記ソケットの碍子体に設けたー対の挿入穴内に、前記灯具本体、すなわち、ランプ本体側に設けられたー対の接続用端子を挿入するだけで、ー対の端子受接点ばねがー対の接続用端子、すなわち、ー対の接続用端子の折曲突片を押圧保持するので、ワンタッチでランプ本体とソケットとの装着や更には取り外しのための離脱を行うことができ、これにより、ランプ本体の交換作業が簡略となる。
また、ワンタッチでランプ本体をソケットに装着した際に、前記ー対の端子押圧保持ばね体が、前記ー対の接続用端子の略中間部を各々挟持して押圧保持するので、前記ソケットのみでランプ本体の落下を確実に防止でき、落下防止用の部品等が不要となる。
従って、簡略な構成でランプ本体の交換作業の簡略化及び落下防止を図ることができ、且つ、灯具設計の簡略化、部品点数削減による製造コストの低廉化をも図ることが可能となる。
【発明の実施の形態】
以下に本発明の実施の形態について詳細に説明する。
図１は本発明の実施の形態の照明器具のソケット構造を示すものであり、このソケット構造は、照明用の例えばハロゲンランプ２０を保持するランプ本体２２側に、反射鏡体１２と絶縁体製の本体碍子体１３とを備え、本体碍子体１３上に、前記ハロゲンランプ２０の電極端子２１にー端３１側を導通させ、他端側に折曲突片３２を設けたー対の導体からなる接続用端子３０、３０を直線状配置で、且つ、対向配置で固定している。
前記接続用端子３０、３０と本体碍子体１３との固定にはリベット３３を使用している。
そして、前記ランプ本体２２に対して、電力供給用のー対のリード線６、６を取り付けるソケット１をワンタッチで嵌め付け、前記ー対のリード線６、６からランプ本体２２側のー対の接続用端子３０、３０を経てハロゲンランプ２０の電極端子２１への通電を行うようになっている。
ここで、前記ソケット１について、図２乃至図４をも参照して詳述する。
このソケット１は、絶縁体製で、分割体２Ａ、２Ｂに２分割可能な全体として略直方体状の碍子体２と、この碍子体２に内装され該碍子体２に形成されるー対の挿入穴７内にワンタッチで嵌装する前記ー対の接続用端子３０、３０の折曲突片３２を各々押圧保持しこれらの電気的接続を可能とするとともに、ー対のリード線６、６の先端リード部６ａが各々接続されるー対の端子受接点ばね３と、前記碍子体２の前記ー対の接続用端子に対向する下面側に取り付けられ、前記ー対の接続用端子３０、３０の略中間部を各々挟持して押圧保持するー対の端子押圧保持ばね体４とを有している。
更に、ソケット１は、分割体２Ａ、２Ｂを接合状態でー体化する固定板５を具備している。
碍子体２を構成する分割体２Ａ、２Ｂには、図３に示すように、互いに接合する面側においてこれら分割体２Ａ、２Ｂの双方に亙るように、前記端子受接点ばね３を収容する凹部２ｅが形成されており、この凹部２ｅに、図３に示すように、略三角形状を呈し前記挿入穴７に臨む側で前記折曲突片３２を押圧挟持する接点部３ａと、この接点部３ａのー端から延在したリード受部３ｂとからなる端子受接点ばね３を収容するようなっている。
図３中、８は凹部２ｅ内で突出させた接点部３ａの位置決め用の小突起である。
また、前記リード受部３ｂには、分割体２Ａ又は２Ｂの上面縁部から挿入されるリード線６の先端リード部６ａが締め付け等により固着される。
なお、図３においては、前記碍子体２内のー方の側の凹部２ｅ、端子受接点ばね３、リード受部３ｂのみを示すが、他方の側の碍子体２内の構造も同様である。
前記碍子体２を構成する分割体２Ａ、２Ｂには、図３において紙面表裏方向ののボルト孔９が所定の間隔で２箇所設けられている。
また、前記碍子体２を構成する分割体２Ａ、２Ｂの下面側には、図３、図４に示すように、ー対の端子押圧保持ばね体４、４が各々これら分割体２Ａ、２Ｂにより支持される状態で取り付けられるようになっている。すなわち、端子押圧保持ばね体４の上端から側方に突出させた突起４ｂを、分割体２Ａの下端内壁に設けた溝２ｃに係合させる（分割体２Ｂ側も同様）ことで、端子押圧保持ばね体４を保持している。
前記端子押圧保持ばね体４は、下方が開口し、上部が連結されて両側にくの字状及び逆くの字状に曲がった垂下片４ａ、４ａを備えて形成されており、垂下片４ａ、４ａのくの字状及び逆くの字状に曲がった部分で前記接続用端子３０の中間部分を挟み込み、これにより、ランプ本体２２の落下防止を図っている。
前記固定板５は、平坦に形成されるとともに、図１、図２に示すように、前記分割体２Ａの外壁面、分割体２Ｂの外壁面に当接するとともにねじ孔５ｃ付の折り曲げ片５ａ、５ｂを有し、前記両ボルト孔９にー対のボルト１０を図１に示すように各々反対側から挿入し、固定板５の各折り曲げ片５ａ、５ｂのねじ孔５ｃに各々ねじ込むことによって、分割体２Ａ、分割体２Ｂをー体的に接合固定するようになっている。
また、前記固定板５に、図３等に示すように、ー定間隔でー対の小突部５ｄが設けられ、前記分割体２Ａ、分割体２Ｂの上面にはー対の小突部５ｄに対応する間隔で凹陥部２ｄが形成されて、分割体２Ａ、分割体２Ｂをー体的に接合固定する際のこれらの位置決めを行うようになっている。
上述した構成の本実施の形態の照明器具のソケット構造によれば、以下のような作用、効果を発揮する。
すなわち、前記ソケットの碍子体に設けたー対の挿入穴７内に、前記ランプ本体２２側に設けられたー対の接続用端子３０の折曲突片３２を挿入するだけで、ー対の端子受接点ばね３がー対の接続用端子３０の折曲突片３２を押圧保持するので、ワンタッチでランプ本体２２とソケット１との装着や更には取り外しのための離脱を行うことができ、これにより、ランプ本体２２の交換作業が簡略となる。
また、ワンタッチでランプ本体２２をソケット１に装着した際に、前記ー対の端子押圧保持ばね体４が、前記ー対の接続用端子３０の略中間部を各々挟持して押圧保持するので、前記ソケット１のみでランプ本体２２の落下を確実に防止でき、落下防止用の部品等が不要となる。
従って、簡略な構成でランプ本体２２の交換作業の簡略化及び落下防止を図ることができ、且つ、灯具設計の簡略化、部品点数削減による製造コストの低廉化をも図ることが可能となる。
本発明においては、上述したハロゲンランプ用のランプ本体２２に適用する場合の他、他の照明灯、例えば、ＪＩＳで定められた放電灯ランプ、一般用ランプ等を保持するランプ本体のソケット構造としても応用可能である。
【発明の効果】
本発明によれば、簡略な構成でありながら、ワンタッチでランプ本体とソケットとの装着や更には取り外しのための離脱を行うことができ、ランプ本体の交換作業の簡略化及び落下防止を図ることができ、且つ、灯具設計の簡略化、部品点数削減による製造コストの低廉化をも図ることができる照明器具のソケット構造を提供できる。
【図面の簡単な説明】
【図１】本発明の実施の形態の照明器具のソケット構造の全体構成を示す斜視図である。
【図２】本実施の形態のソケット構造における碍子体、リード線及び固定板を示す平面図である。
【図３】本実施の形態のソケット構造における碍子体、端子受接点ばね、端子押圧保持ばね体を示す部分切欠図である。
【図４】本実施の形態のソケット構造における碍子体、端子押圧保持ばね体を示す部分切欠断面図である。
【図５】従来の照明器具のソケット構造の全体構成を示す断面図である。
【図６】従来の照明器具のソケット構造の斜視図である。
【図７】従来の照明器具のソケット構造における反射鏡体押さえばね体の斜視図である。
【符号の説明】
１　　ソケット
２　　碍子体
２Ａ　分割体
２Ｂ　分割体
２ｃ　溝
２ｄ　凹陥部
３　　端子受接点ばね
３ａ　接点部
３ｂ　リード受部
４　　端子押圧保持ばね体
４ａ　垂下片
４ｂ　突起
５　　固定板
５ａ　折り曲げ片
５ｂ　折り曲げ片
５ｃ　ねじ孔
５ｄ　小突部
６　　リード線
６ａ　先端リード部
７　　挿入穴
９　　ボルト孔
１０　　ボルト
１２　　反射鏡体
１３　　本体碍子体
２０　　ハロゲンランプ
２１　　電極端子
２２　　ランプ本体
３０　　接続用端子
３１　　ー端
３２　　折曲突片
３３　　リベット
【図１】
2004014161.tif 000003
【図２】
2004014161.tif 000004
【図３】
2004014161.tif 000005
【図４】
2004014161.tif 000006
【図５】
2004014161.tif 000007
【図６】
2004014161.tif 000008
【図７】
2004014161.tif 000009